(57)【要約】【課題】休止中のエレベーターの有効活用。【解決手段】レンタルスペース利用者１３は、利用契約により予め専用キーを所持する。エレベーターの休止中、利用者１３は、所持する専用キーを、レンタルキー差込口１２に差込む。これにより、エレベータードア５，５１が所定時間開く。利用者１３は、この戸開中に保管物品の積込み又は自身の乗込みを行う。５秒後に自動戸閉したあと、何もしなければ、レンタル有効時間の満了まで、物品を保管し、あるいはかご内の利用者１３が望むまま戸閉を継続する。しかし、かご内では、開ボタン６１により、かごの外からは専用キーの再差込みにより、いつでもドアの再開が可能である。【効果】エレベーター休止中の乗りかご内スペースを有効に活用でき、他人に賃貸契約した場合には、エレベーター所有者は利益を得ることができる。レンタルスペース利用者は、物品の安全な保管場所として利用できる。【選択図】  図１
2005015098.tif 000002
【特許請求の範囲】
【請求項１】
エレベーターを運転休止に切替える手段を備えたエレベーター装置において、エレベーターの休止中にホール側からの予定の操作に応動してエレベーターのドアを自動戸開する手段を備えたことを特徴とするエレベーターのレンタルシステム。
【請求項２】
請求項１において、前記予定の操作は、専用のキー，カード，又は暗号入力の利用を含むことを特徴とするエレベーターのレンタルシステム。
【請求項３】
請求項１又は２において、戸開後所定時間経過したことに応じて、自動戸閉する手段を備えたことを特徴とするエレベーターのレンタルシステム。
【請求項４】
エレベーターを運転休止に切替える手段を備えたエレベーター装置において、エレベーターの休止中にホール側からの予定の操作に応動してエレベーターのドアを自動戸開する手段と、その後のかご内戸閉ボタンの操作に応じて、自動戸閉する手段を備えたことを特徴とするエレベーターのレンタルシステム。
【請求項５】
請求項１〜４のいずれかにおいて、前記所定の操作に基くエレベーター休止中の戸開閉後に、かご内戸開ボタンの操作に応じて、自動戸開する手段を備えたことを特徴とするエレベーターのレンタルシステム。
【請求項６】
請求項１〜５のいずれかにおいて、予定時刻になったことに応じて自動戸開させる手段を備えたことを特徴とするエレベーターのレンタルシステム。
【請求項７】
請求項６において、前記自動戸開に先立ち、かご内ブザー鳴動，表示，又は音声によりレンタル時間の終了を案内する手段を備えたことを特徴とするエレベーターのレンタルシステム。
【請求項８】
エレベーターを運転休止に切替える手段を備えたエレベーター装置において、エレベーターの休止中にホール側からの予定の操作に応じてエレベーターのドアを自動戸開する手段と、この戸開後所定時間経過したこと又はかご内の戸閉ボタンの操作に応じて自動戸閉する手段と、その後のかご内操作盤の予定の操作に応じてエレベーターかご内のモニターにホール側状況を表示する手段を備えたことを特徴とするエレベーターのレンタルシステム。
【請求項９】
エレベーターを運転休止に切替える手段を備えたエレベーター装置において、エレベーターの休止中にホール側からの予定の操作に応じてエレベーターのドアを自動戸開する手段と、その後のドア開放中に、所定の時間経過又はかご内戸閉ボタンの操作に応じて自動戸閉する手段と、その後に、かご内の戸開ボタンの操作及び／又は予定時刻になったことに応じて自動戸開する手段を備えたことを特徴とするエレベーターのレンタルシステム。
【請求項１０】
休止スイッチの操作に応動してエレベーターを運転休止に切替えるステップと、エレベーターの休止中にホール側からの予定の操作に応じてエレベーターのドアを電動力で開放するステップを備えたことを特徴とするエレベーターのレンタル方法。
【請求項１１】
休止スイッチの操作に応動してエレベーターを運転休止に切替えるステップと、エレベーターの休止中にホール側からの予定の操作に応じてエレベーターのドアを電動力で開放するステップと、その後のドア開放中に、所定の時間経過又はかご内戸閉ボタンの操作に応じて自動戸閉するステップと、その後に、かご内の戸開ボタンの操作及び／又は予定時刻になったことに応じて自動戸開するステップを備えたことを特徴とするエレベーターのレンタル方法。
【発明の詳細な説明】
【０００１】
【発明の属する技術分野】
本発明は、エレベーター乗りかごレンタルシステム及び方法に関する。
【０００２】
【従来の技術】
エレベーターを従来のフリーアクセス手段から、公共の乗り物と同様に、使用した際には課金するシステムが提案されている。例えば、特許文献１には、保守サービス等に対する対価として、エレベーター利用者から使用料金を得たり、エレベーター賃貸先からのレンタル料金を得ることが開示されている。ここでは、保守サービスの対価として、エレベーターを使用する毎に移動距離とかご内荷重に応じて、利用者から使用料を徴収することを提案している。
【０００３】
【特許文献１】
特開２００３−３０５５６号公報（全体）
【０００４】
【発明が解決しようとする課題】
本発明の目的は、更なるエレベーターの有効活用を図ることである。
【０００５】
【課題を解決するための手段】
本発明は、夜間や休日など、エレベーターが休止状態にある時間帯に、エレベーターかご内をレンタルスペースとすることを特徴とする。
【０００６】
本発明は、エレベーターの休止中に、ホール側からの予定の操作に応じてエレベーターのドアを電動力で開放する手段を備えたことを特徴とする。
【０００７】
ここで、休止中とは、夜間等にパーキングスイッチと呼ばれるスイッチの操作による休止のほか、エレベーターかご内運転盤のスイッチボックス内の停止スイッチと呼ばれるスイッチにより停止させている状態を含むものとする。この休止状態にあるエレベーターは、通常、前記のいずれかのスイッチによらない限り、他のいかなる操作に対しても、動作することはなく、ドアも開かない。これに対して、本発明においては、予定の操作によって、休止状態にあるエレベーターの特定の動作のみが可能となる。特定の動作とは、ドアの開閉と、これに付随した表示，報知，あるいは案内手段のみであり、エレベーター本来の昇降運転は行わない。
【０００８】
本発明の望ましい一実施形態においては、予め契約した利用希望者に、レンタル専用のキー，カード，又は暗号入力装置等を貸与する。エレベーターの休止中に、専用のキー，カード，又は暗号入力装置等を用いて、ホール側から予定の操作が行われると、エレベーターのドアを電動力で開放する。その後は、所定時間後又はかご内の戸閉ボタンにより電動戸閉する。更にその後は、かご内戸開ボタン又は専用キー，カード，又は暗号入力装置等によるホール側からの予定の操作に応じて、いつでも電動戸開が可能である。
【０００９】
例えば、レンタルスペースの利用例として、夜間一時的に自転車等の物品を保管し、盗難やいたずら等の被害を防止することができる。また、夜間に勤務する業種の人は、ドレッシングルームとして利用することができる。
【００１０】
これにより、今まで、休止させていた時間帯についても、エレベーターを有効に活用することができる。また、賃貸契約した場合には、エレベーター所有者は利益を得ることができる。レンタルスペース利用者にとっては、物品の安全な保管場所として有用である。
【００１１】
本発明のその他の目的及び特徴は、以下に述べる実施例で明らかにする。
【００１２】
【発明の実施の形態】
以下、図面を参照し、本発明の実施形態について説明する。
【００１３】
図１は、本発明の一実施形態によるエレベーターレンタルシステムの全体を示す概略構成図である。エレベーターのかご１は、複数の階床間にサービスする。制御盤２には、マイクロコンピュータ（以下、マイコン又はＣＰＵ）２１を内蔵している。このマイコン２１は、ＭＰＵ２２、ＲＯＭ２３、ＲＡＭ２４及びＩ／Ｏ２５で構成されている。本マイコン２１内のプログラムは、各種エレベーターの運転を行なう上で必要な制御機能モジュール群で構成されている。
【００１４】
かご１には、やはりマイコンを主構成要素とするかご上制御盤３を搭載している。このかご上制御盤３は、エレベーター制御盤２との間で信号を送受信する通信機器、Ｉ／Ｏ等を備え、かご内のかご位置表示器（あるいはモニター）４及びエレベーターのドア５を開閉制御する。また、エレベーター制御盤２からの信号が、かご上制御盤３を介して、かご内操作盤６に入出力される。かご内操作盤６上には、戸開ボタン６１、戸閉ボタン６２及び行先ボタン群６３がある。
【００１５】
一方、乗り場では、各階床に設置され、エレベーターかごドア５と連動して開閉する乗り場側のエレベータードア５１、ホール呼びボタン７及びかご位置表示器８が設置されている。ホール呼びボタン７からの信号は、エレベーター制御盤２内のマイコンに入出力させる構成を採り、乗り場のかご位置表示器８には、制御盤２内のマイコン（ＣＰＵ）からかご位置信号を出力している。
【００１６】
このエレベーター装置を休止させるために、ホール側にパーキングスイッチ９が配置され、同じく管理人室の監視盤１０にもパーキングスイッチ１１が設けられている。これら、いずれかのスイッチ手段により、エレベーターを休止モードにすることができる。
【００１７】
まず、この実施例における動作の概要を述べておく。エレベーターの所有者（又は管理者）は、レンタルスペース希望者と賃貸契約し、予め、専用のキーを渡し、ロビー階の乗り場にレンタルキー入力装置の差込口１２を設置して置く。パーキングスイッチ９又は１１の操作により、休止モードとなっているエレベーターに対し、レンタルスペース利用者１３は、所持する専用キーを、レンタルキー入力装置の差込口１２に差込む。これにより、エレベータードア５，５１が電動力で開く。利用者１３は、この戸開中に物品の積込み又は利用者１３自身の乗込みを行う。通常の戸開と同様に、所定時間、例えば５秒経過後にドアは自動的に電動戸閉する。
【００１８】
この後は、利用者１３が、そのまま物品の保管を望むか、又は、自身がかご内にこもることを望む場合、エレベーターに対して何もする必要はない。
【００１９】
この状態において、かご内の利用者は、かご内操作盤６の戸開ボタン６１の操作によりいつでも戸開することが可能である。また、利用者１３が乗り場に居れば、所持する専用キーを、レンタルキー入力装置の差込口１２に再度差込むことによって、いつでも戸開できる。
【００２０】
以上によって、休止中のエレベーターかごを、物品の保管場所やプライベートルームとして利用することができる。
【００２１】
図２は、本発明の一実施形態によるエレベーターレンタルシステムの概念図である。エレベーター所有（管理）者１４は、まず、▲１▼レンタルスペース利用者１３との間で、休止中のエレベーターかご内スペースの賃貸契約を結び、エレベーター乗りかごを貸し出す。このとき、▲２▼レンタルスペース利用者１３にレンタル専用のキー，カード，又は暗号番号を渡す。▲３▼契約したレンタルスペース利用者１３は、エレベーターの休止中に、レンタル専用キー，カード，又は暗号番号を用いて、エレベーターかごを物品の一時保管場所等として利用するサービスを受けることができる。これに伴い、▲４▼レンタル利用者１３は、エレベーター所有（管理）者に契約に基く賃貸料を支払う。
【００２２】
一方、エレベーターの休止中以外の時間帯においては、▲５▼一般のエレベーター利用者１５に対し、通常のエレベーターサービスを提供する。
【００２３】
図３は、本発明の一実施形態によるエレベーターレンタルシステムの処理フローチャートである。この処理フローは、制御盤２のマイコン２１がプログラムによって動作する機能であり、例えば、４０［ｍｓ］に一度のタイマー割込みによりスタートする。
【００２４】
ステップ３０１で、エレベーター所有（管理）者１４が、監視盤１０のパーキングスイッチ１１又はホール設置のパーキングスイッチ９により、エレベーターを休止モードに切替えているか確認する。休止モードでなければ、今回のこの処理は終了する。休止モードであれば、ステップ３０２において、レンタルキー入力装置の差込口１２に専用キーが差込まれたかを確認する。ここで、有効なキー操作又は暗号入力なされていなければ、ステップ３０６に飛んで、エレベータードア５，５１を電動戸閉する。一方、有効なキー操作又は暗号入力がなされておれば、ステップ３０３に進んで、エレベータードア５，５１を電動戸開する。ドア５，５１が開いている間に、レンタルスペース利用者１３は、かご内に乗り込むか、物品を運び入れることができる。また、すぐにドア５，５１を閉めたい場合には、かご内操作盤６の戸閉ボタン６２を操作することもできる。この場合、ステップ３０４で戸閉ボタン６２の操作を確認し、ステップ３０６で、エレベータードア５，５１を電動戸閉する。戸閉ボタン６２が操作されなければ、ステップ３０５で、所定時間例えば５秒の経過を待って、ステップ３０６でドア５，５１を電動戸閉する。
【００２５】
これにより、かご１内に保管物品を積込むか、利用者自身が乗込み、ステップ３０６で戸閉後、そのまま何もしなければ、エレベーターかご１は戸閉を継続する。したがって、エレベーターかご１内に物品の保管又は利用者のプライベートルームとしての滞在が可能となる。
【００２６】
この状態で、利用者１３がかご１内に居る場合、いつでも、次の操作が可能である。
【００２７】
まず、かご内操作盤６の戸開ボタン６１、戸閉ボタン６２又は行先ボタン群６３の予定の暗号操作により、乗り場の様子をモニターすることができる。この暗号操作がなされると、ステップ３０７でこれを確認し、ステップ３０８でかご内のモニター画面１６に乗り場の様子を映し出す。
【００２８】
図４は、このモニター画面１６を備えたかご内状況図である。
【００２９】
また、いつでも、かご内操作盤６の戸開ボタン６１を操作でき、ステップ３０９でこれを検知すれば、ステップ３０３で電動戸開する。このとき、ホールに不審者が待ち受けている懸念があれば、戸開ボタン６１を操作する前に、上記の暗号操作により、乗り場の様子をモニター画面１６で確認することができる。
【００３０】
このようにして、かご１のレンタル時間帯内では、レンタル利用者１３の出入りは自由であり、乗り場の安全を確認して出入りすることができる。
【００３１】
さて、夜が明けて、エレベーターの休止時間が終り、つまりレンタル有効時間が終わると、ステップ３１０でこれを確認し、ステップ３１１に進んで、ブザーを鳴動、かご内表示器４又は音声案内、又はこれらの併用により、レンタル時間の終了を知らせるとともに、電動戸開する。すなわち、自動戸開に先立ち、利用者に、レンタル時間終了を案内手段により案内する。
【００３２】
エレベーターの運転時間帯になると、エレベーター管理者は、監視盤１０のパーキングスイッチ１１又はホール設置のパーキングスイッチ９により、エレベーターを通常状態に復帰させる。したがって、その後は、ステップ３０１の判断に基き、３０２以降の処理は行われない。
【００３３】
この実施形態を要約すると次の通りである。まず、休止スイッチ９又は１１の操作に応動してエレベーターを運転休止に切替える。このエレベーターの休止中に、ホール側からのレンタルキー入力装置１２を用いた予定の操作に応じてエレベーターのドア５，５１を電動力で開放する。その後のドア開放中に、所定の時間（約５秒）経過又はかご１内戸閉ボタン６２の操作に応じて自動戸閉する。その後は、かご内の操作盤６の予定の暗号操作でモニター画面１６に乗り場の様子を映し出す。また、かご内の戸開ボタン６１の操作及び／又は予定時刻（例えば、朝７時）になったことに応じて自動戸開するのである。
【００３４】
この実施形態によれば、エレベーターの休止時間帯を有効利用し、物品保管場所としてエレベーターかご内スペースを活用することができる。また、レンタルスペースとして希望者に提供することができ、賃貸契約した場合には、エレベーター所有者は、その賃貸料を得ることができる。一方、レンタルスペース利用者にとっては、物品の安全な保管場所として、又はプライベートルームとして有効に活用できる。
【００３５】
【発明の効果】
本発明によれば、エレベーターの休止時間帯においてもエレベーターを有効利用することができる。
【図面の簡単な説明】
【図１】本発明の一実施形態によるエレベーターレンタルシステムの全体を示す概略構成図。
【図２】本発明の一実施形態によるエレベーターレンタルシステムの概念図。
【図３】本発明の一実施形態によるエレベーターレンタルシステムの処理フロー。
【図４】本発明の一実施形態によるエレベーターレンタルシステムにおけるかご内モニターを備えたかご内状況図。
【符号の説明】
１…エレベーターのかご、２…エレベーター制御盤、３…かご上制御盤、４…かご内のかご位置表示器、５，５１…エレベーターのドア、６…かご内操作盤、６１…戸開ボタン、６２…戸閉ボタン、６３…行先ボタン群、７…ホール呼びボタン、８…乗り場のかご位置表示器、９…ホール設置のパーキングスイッチ、１０…監視盤、１１…監視盤設置のパーキングスイッチ、１２…レンタルキー入力装置の差込口、１３…レンタルスペース利用者、１４…エレベーター所有（管理）者、１５…一般のエレベーター利用者、１６…モニター画面。
【図１】
2005015098.tif 000003
【図２】
2005015098.tif 000004
【図３】
2005015098.tif 000005
【図４】
2005015098.tif 000006